(57)【要約】【課題】本発明は、受信装置１１を小型化することを目的とする。【解決手段】上記目的を達成するために、本発明の受信装置１１は、各受信部１３，１６で受信した異なるチャンネルの信号を１つのチャンネル分の帯域を有する周波数帯に周波数変換することにより、単一の復調部１８で複数の信号を復調する構成とする。この構成によって、複数の復調部を有さなくとも、ユーザは複数のチャンネルの放送を同時に視聴することができる。これにより、受信装置１１を小型化することができる。【選択図】図１
2008005263.tif 000002
【特許請求の範囲】
【請求項１】
第１チャンネルにおける所定セグメントの第１信号を受信する第１受信部と、
第２チャンネルにおける所定セグメントの第２信号を受信する第２受信部と、
前記第１受信部が受信した前記第１信号の周波数を第１中間周波数帯に変換する第１周波数変換部と、
前記第２受信部が受信した前記第２信号の周波数を第２中間周波数帯に変換する第２周波数変換部と、
前記第１周波数変換部が変換した第１信号と前記第２周波数変換部が変換した第２信号とを各々個別に復調する復調部とを有し、
前記第１中間周波数帯と前記第２中間周波数帯とは、１つのチャンネル分の帯域を有する周波数帯に含まれる受信装置。
【請求項２】
前記第１中間周波数帯と前記第２中間周波数帯との間隔は、セグメント単位である請求項１に記載の受信装置。
【請求項３】
前記第１中間周波数帯と前記第２中間周波数帯とは互いに隣接している請求項１に記載の受信装置。
【請求項４】
前記第１信号の階層と前記第２信号の階層とを互いに異なる階層に変換する階層変換部を有し、
前記復調部は、前記階層変換部が変換した前記第１信号の階層と前記第２信号の階層に基づいて、前記第１信号及び前記第２信号を各々個別に復調する請求項１に記載の受信装置。
【請求項５】
前記復調部は、前記第１受信部から出力された前記第１信号と前記第２受信部から出力された前記第２信号の両者を復調する場合と、前記第１信号と前記第２信号のいずれか一方の信号のみを復調する場合とを切り替え可能な構成である請求項１に記載の受信装置。
【請求項６】
前記第１受信部が前記第１チャンネルにおける所定セグメントの第１信号を受信すると共に前記第２受信部が前記第２チャンネルにおける所定セグメントの第２信号を受信する場合と、
前記第１受信部及び前記第２受信部が同一のチャンネルにおける所定セグメントの信号をダイバーシティ受信する場合とを切替可能な構成である請求項１に記載の受信装置。
【請求項７】
第１チャンネルにおける所定セグメントの第１信号を受信する第１受信部と、
第２チャンネルにおける所定セグメントの第２信号を受信する第２受信部と、
前記第１受信部が受信した前記第１信号の周波数を第１中間周波数帯に変換する第１周波数変換部と、
前記第２受信部が受信した前記第２信号の周波数を第２中間周波数帯に変換する第２周波数変換部と、
前記第１周波数変換部が変換した第１信号と前記第２周波数変換部が変換した第２信号とを各々個別に復調する復調部と、
この復調部が復調した前記第１信号及び前記第２信号をデコードする信号処理部と、
この信号処理部がデコードした前記第１信号及び前記第２信号を再生する再生部とを有し、
前記第１中間周波数帯と前記第２中間周波数帯とは、１つのチャンネル分の帯域を有する周波数帯に含まれる電子機器。
【発明の詳細な説明】
【技術分野】
【０００１】
本発明は、信号を受信する受信装置とこれを用いた電子機器に関するものである。
【背景技術】
【０００２】
以下、従来の受信装置１について、図面を用いて説明する。図２は、従来の受信装置１のブロック図である。図２において、受信装置１は、第１アンテナ２と、この第１アンテナ２を介して第１チャンネルにおける所定セグメントの第１信号を選択的に受信する第１受信部３と、この第１受信部３からの第１信号の周波数を変換する第１周波数変換部４と、この第１周波数変換部４からの第１信号を復調する第１復調部５とを有する。さらに受信装置１は、第２アンテナ６と、この第２アンテナ６を介して第２チャンネルにおける所定セグメントの第２信号を選択的に受信する第２受信部７と、この第２受信部７の第２信号の周波数を変換する第２周波数変換部８と、この第２周波数変換部８からの第２信号を復調する第２復調部９とを有する。また、第１受信部３、第１周波数変換部４、第１復調部５、第２受信部７、第２周波数変換部８、及び第２復調部９は、制御部１０によって制御されている。
【０００３】
この受信装置１は、第１受信部３で受信した第１チャンネルにおける第１信号を第１復調部５で復調し、第２受信部７で受信した第２チャンネルにおける第２信号を第２復調部９で復調させることにより、ユーザが複数チャンネルの放送を同時に視聴することができた。
【０００４】
なお、この出願の発明に関連する先行技術文献情報としては、例えば、特許文献１が知られている。
【特許文献１】特開平１０−３３６６７４号公報
【発明の開示】
【発明が解決しようとする課題】
【０００５】
このような従来の受信装置１は、複数チャンネルの信号を同時に復調するため、復調部５，９が複数必要であり、装置が大型になるという問題があった。
【０００６】
そこで本発明は、受信装置を小型化することを目的とする。
【課題を解決するための手段】
【０００７】
上記目的を達成するために、本発明の受信装置は、各受信部で受信した異なるチャンネルの信号を１つのチャンネル分の帯域を有する周波数帯に周波数変換することにより、単一の復調部で複数の信号を復調する構成である。
【発明の効果】
【０００８】
上記構成によって、複数の復調部を有さなくとも、ユーザは複数のチャンネルの放送を同時に視聴することができる。これにより、受信装置を小型化することができる。
【発明を実施するための最良の形態】
【０００９】
（実施の形態１）
以下、本実施の形態１における受信装置について図１を用いて説明する。図１は本実施の形態における受信装置のブロック図である。
【００１０】
図１において、受信装置１１は、例えば、テレビ機能付き携帯端末や車載用テレビなどの電子機器に搭載される装置である。受信装置１１は、第１アンテナ１２と、この第１アンテナ１２を介して、地上波デジタル放送の第１チャンネルにおける所定セグメントの第１信号を、第１入力フィルタ（図示せず）を用いて選択的に受信する第１受信部１３と、この第１受信部１３からの第１信号の周波数を第１中間周波数帯に変換する第１周波数変換部１４とを有する。また、受信装置１１は、第２アンテナ１５と、この第２アンテナ１５を介して、地上波デジタル放送の第２チャンネルにおける所定セグメントの第２信号を、第２入力フィルタ（図示せず）を用いて選択的に受信する第２受信部１６と、この第２受信部１６からの第２信号の周波数を第２中間周波数帯に変換する第２周波数変換部１７とを有する。上記第１中間周波数帯と第２中間周波数帯とは、１つのチャンネル分の帯域を有する周波数帯に含まれる。更に、受信装置１１は、第１周波数変換部１４からの第１信号と第２周波数変換部１７からの第２信号とを復調する復調部１８を有する。更にまた、受信装置１１は、これら第１受信部１３、第１周波数変換部１４、第２受信部１６、第２周波数変換部１７、及び復調部１８を制御する制御部１９を有する。尚、この受信装置１１が搭載された電子機器（図示せず）は、復調部１８の出力側に接続された信号処理部(図示せず)と、この信号処理部(図示せず)の出力側に接続されたディスプレイとスピーカからなる再生部（図示せず）とを有する。
【００１１】
また、第１周波数変換部１４から出力された第１中間周波数帯の第１信号と第２周波数変換部１７から出力された第２中間周波数帯の信号との周波数間隔は、セグメント単位である。これにより、復調部１８が第１信号と第２信号とを同時に復調することができる。
【００１２】
復調部１８は、第１周波数変換部１４からの第１信号と第２周波数変換部１７からの第２信号とを制御部１９によって指定された階層で復調する。例えば、制御部１９は、復調部１８から第１信号の階層と第２信号の階層とを読み取り、これら第１信号の階層と第２信号の階層とが同一の階層である場合、第１信号の階層と第２信号の階層とを互いに異なる階層に変換する階層変換部（図示せず）を有する。これにより、復調部１８は、この階層変換部が変換した第１信号の階層と第２信号の階層に基づいて、第１周波数変換部１４からの第１信号と第２周波数変換部１７からの第２信号とを別々の放送として各々個別に復調することができる。
【００１３】
上記構成によって、複数の復調部を有さなくとも、ユーザは複数のチャンネルの放送を同時に視聴することができる。これにより、受信装置１１を小型化することができる。
【００１４】
これにより、小型の構成にして、例えば、第１受信部１３がＮチャンネルの１セグメント放送の映像信号を受信し、第２受信部１６がＮ＋１チャンネルの３セグメント放送の音声放送を同時に受信することができる。そして、ユーザが第１受信部１３を用いてＮチャンネルの放送を視聴している間に、第２受信部１６を用いてＮ＋１チャンネルの放送を録画することが可能になる。
【００１５】
さらに、複数のチャンネルが同時に受信されている為、ユーザがチャンネルを変更してもチャンネル変更に要する時間を短縮することができる。
【００１６】
尚、第１中間周波数帯と第２中間周波数帯とは互いに隣接していることが望ましい。これにより、第１周波数変換部１４及び第２周波数変換部１７の後段であって復調部１８の前段に接続された中間周波フィルタ（図示せず）の信号通過帯を、少なくとも第１中間周波数帯と第２中間周波数帯との和に相当する周波数帯とすれば良いので、この中間周波フィルタを小型にすることができる。その結果、受信装置１１を小型化することができる。
【００１７】
また、制御部１９は、ユーザが二つのチャンネルの放送を視聴する場合、第１受信部１３と第２受信部１６の両方を動作させると共に、復調部１８に第１受信部１３から出力された第１信号と第２受信部１６から出力された第２信号の両者を復調させ、ユーザが一つのチャンネルの放送のみを視聴する場合、第１受信部１３と第２受信部１６のいずれか一方を動作させると共に、復調部１８に第１信号と第２信号のいずれか一方の信号のみを復調させても良い。これにより、ユーザが一つのチャンネルの放送のみを視聴する場合、受信装置１１の消費電力を低減させることができる。
【００１８】
更にまた、ユーザが一つのチャンネルの放送のみを視聴する場合、第１受信部１３および第２受信部１６が同一のチャンネルにおける所定セグメントの信号をダイバーシティ受信しても良い。これにより、受信品質を向上させることができる。
【産業上の利用可能性】
【００１９】
本発明の受信装置１１は小型であり、携帯端末や車載用テレビ放送受信機器等の電子機器に利用することができる。
【図面の簡単な説明】
【００２０】
【図１】本発明の実施の形態１における受信装置のブロック図
【図２】従来の受信装置のブロック図
【符号の説明】
【００２１】
１１  受信装置
１２  第１アンテナ
１３  第１受信部
１４  第１周波数変換部
１５  第２アンテナ
１６  第２受信部
１７  第２周波数変換部
１８  復調部
１９  制御部
【図１】
2008005263.tif 000003
【図２】
2008005263.tif 000004